(57)【特許請求の範囲】
【請求項１】
固定具と、前記固定具に着脱可能な照明具とを備えた照明装置であって、
前記固定具は、長手方向に直交する断面が円弧形状であって、当該円弧形状が前記長手方向に連続して形成される円弧面を有する円筒形状にて形成された第一設置部と、
前記第一設置部を固定する固定部とを備え、
前記照明具は、前記長手方向に形成された光源部と、
前記光源部を保持する保持部と、
前記保持部の前記長手方向に設置され、前記第一設置部の凸状の前記円弧面上の周方向の一部の位置において、前記長手方向に磁力吸着する設置面を有する第二設置部とを有し、
前記第一設置部および前記第二設置部は、
少なくともいずれか一方が磁石にて形成され、
前記固定具の前記固定部は、
第一固定部および前記第一固定部に連続して形成されている第二固定部を備え、
前記第一設置部は、前記第一固定部と前記第二固定部との連続箇所に固定され、
前記第一固定部および前記第二固定部には、前記照明具の前記固定具への磁力吸着位置を制限する第一制限面および第二制限面を有し、
前記照明具は、前記第一固定部の前記第一制限面と前記第二固定部の前記第二制限面とにて囲まれた領域に設置され、
前記第一固定部および前記第二固定部の前記第一制限面および前記第二制限面の反対側には、第一磁石部および第二磁石部がそれぞれ形成されている照明装置。
【請求項２】
前記第二設置部の前記設置面は、前記第一設置部の凸状の前記円弧面と面接触する凹状円弧面である請求項１に記載の照明装置。
【請求項３】
前記第一設置部は、磁性体にて成る円筒部材にて形成され、
前記第二設置部は、磁石にて形成されている請求項１または請求項２に記載の照明装置。
【請求項４】
前記第二設置部は、前記長手方向に複数個形成されている請求項３に記載の照明装置。
【請求項５】
前記第一固定部と前記第二固定部とは直交するように屈曲されている請求項１から請求項４のいずれか１項に記載の照明装置。
【請求項６】
前記光源部は、ＬＥＤにて形成されている請求項１から請求項５のいずれか１項に記載の照明装置。
【発明の詳細な説明】
【技術分野】
【０００１】
この発明は、広い範囲に光を照射可能とし、かつ、光の照射の角度を容易に変更できる照明装置に関するものである。
【背景技術】
【０００２】
従来の照明装置は、光源を有する円柱状の筐体に磁石を備え、その磁石を金属製の壁面に磁力吸着して使用するものである（例えば、特許文献１参照）。また、他の従来の照明装置は、筐体と、筐体に設けられた磁石とを有し、金属製の壁面に磁力吸着するものである（例えば、特許文献２参照）。また、他の従来の照明装置は、光源を有する円柱状の筐体に磁石を備え、金属製の自転車部品に磁力吸着するものである（例えば、非特許文献１参照）。
【先行技術文献】
【特許文献】
【０００３】
【特許文献１】特開２０１２−４７７６５号公報
【特許文献２】実用新案第３００１８４２号公報
【非特許文献】
【０００４】
【非特許文献１】”ｐａｌｏｍａｒ”取り扱いの商品「ｌｕｃｅｔｔａ」、［ｏｎｌｉｎｅ］、［平成２７年６月９日検索］、インターネット＜ＵＲＬ；http://www.palomarweb.com/cms/content/lucetta＞
【発明の概要】
【発明が解決しようとする課題】
【０００５】
従来の照明装置は、ある程度の限られた範囲を照射するのみであり、広い範囲に光を照射しつつ、照射の角度を容易に変更することは困難であるという問題点があった。
【０００６】
この発明は上記のような課題を解決するためになされたものであり、広い範囲に光を照射可能とし、かつ、光の照射の角度を容易に変更可能とする照明装置を提供することを目的とする。
【課題を解決するための手段】
【０００７】
この発明の照射装置は、
固定具と、前記固定具に着脱可能な照明具とを備えた照明装置であって、
前記固定具は、長手方向に直交する断面が円弧形状であって、当該円弧形状が前記長手方向に連続して形成される円弧面を有する円筒形状にて形成された第一設置部と、
前記第一設置部を固定する固定部とを備え、
前記照明具は、前記長手方向に形成された光源部と、
前記光源部を保持する保持部と、
前記保持部の前記長手方向に設置され、前記第一設置部の凸状の前記円弧面上の周方向の一部の位置において、前記長手方向に磁力吸着する設置面を有する第二設置部とを有し、
前記第一設置部および前記第二設置部は、
少なくともいずれか一方が磁石にて形成され、
前記固定具の前記固定部は、
第一固定部および前記第一固定部に連続して形成されている第二固定部を備え、
前記第一設置部は、前記第一固定部と前記第二固定部との連続箇所に固定され、
前記第一固定部および前記第二固定部には、前記照明具の前記固定具への磁力吸着位置を制限する第一制限面および第二制限面を有し、
前記照明具は、前記第一固定部の前記第一制限面と前記第二固定部の前記第二制限面とにて囲まれた領域に設置され、
前記第一固定部および前記第二固定部の前記第一制限面および前記第二制限面の反対側には、第一磁石部および第二磁石部がそれぞれ形成されている。
【発明の効果】
【０００８】
この発明の照明装置によれば、
広い範囲に光を照射可能とし、かつ、照射の角度を容易に変更できる。
【図面の簡単な説明】
【０００９】
【図１】この発明の実施の形態１の照明装置の構成を示す側面断面図である。
【図２】図１に示した照明装置の固定具の構成を示す側面断面図である。
【図３】図１に示した照明装置の照明具の構成を示す側面断面図である。
【図４】図１に示した照明装置の固定具の構成を示す斜視図である。
【図５】図１に示した照明装置の照明具の構成を示す斜視図である。
【図６】図１に示した照明装置の照明具の構成を示す上面図および底面図である。
【図７】図１に示した照明装置の固定具と照明具との組み合わせる状態を示す斜視図である。
【図８】図１に示した照明装置の固定具における照明具の移動状態を示す側面図である。
【図９】図１に示した照明装置の設置箇所を示す図である。
【図１０】図１に示した照明装置の電源取得の構成を示す図である。
【図１１】図１に示した照明装置の電源取得の構成を示す図である。
【図１２】図１に示した照明装置の電源取得の構成を示す図である。
【図１３】図１に示した照明装置の電源取得の構成を示す図である。
【図１４】この発明の実施の形態１の照明装置の照明具の他の構成を示す断面図である。
【図１５】この発明の実施の形態１の照明装置の照明具の他の構成を示す断面図である。
【図１６】この発明の実施の形態２の照明装置の固定具の構成を示す図である。
【図１７】図１６に示した照明装置の固定具の構成を示す斜視図である。
【図１８】図１６に示した照明装置の固定具の設置例を示す図である。
【発明を実施するための形態】
【００１０】
実施の形態１．
以下、本願発明の実施の形態について説明する。図１はこの発明の実施の形態１における照明装置の構成を示す側面断面図である。図２は図１に示した照明装置の固定具の構成を示す側面断面図である。図３は図１に示した照明装置の照明具の構成を示す側面断面図である。図４は図１に示した照明装置の固定具の構成を示す斜視図である。図５は図１に示した照明装置の照明具の構成を示す斜視図である。図６は図１に示した照明装置の照明具の構成を示す上面図および底面図である。
【００１１】
図７は図１に示した照明装置の固定具と照明具との組み合わせる状態を示す斜視図である。図８は図１に示した照明装置の固定具における照明具の移動状態を示す側面図である。図９は図１に示した照明装置の設置箇所を示す図である。図１０から図１３は図１に示した照明装置の電源取得の構成を示す図である。図１４および図１５はこの発明の実施の形態１の照明装置の照明具の他の構成を示す断面図である。
【００１２】
図において、照明装置１は、固定具２と、固定具２に着脱可能な照明具３とにて構成されている。まず、固定具２について説明する。固定具２は、第一設置部２１と固定部２２とにて構成されている。第一設置部２１は、長手方向Ｙに磁性体にてなる円筒部材にて形成されている。第一設置部２１は、例えば、クロームメッキされたスチールパイプにて構成されている。よって、第一設置部２１は、長手方向Ｙに直交する断面が円弧形状であって、長手方向Ｙに連続して形成される円弧面２１Ａを有する。この円弧面２１Ａは凸状にて形成されている。
【００１３】
固定部２２は、第一固定部２３および第一固定部２３に連続する第二固定部２２Ｂにて形成されている。第一固定部２３と第二固定部２４とは直交するように角度θ１が９０°にて屈曲されて形成されている。そして、第一設置部２１は、第一固定部２３と第二固定部２４との連続箇所に形成された把持部２５に挿入され固定されている。ここで、把持部２５の大きさは第一設置部２１の円筒部材の大きさより若干大きく形成されている。よって、把持部２５には第一設置部２１が長手方向Ｙの一端側から挿入可能である。そして、固定部２２は、非磁性体の、例えばアルミ材の押し出し成形にて形成されている。固定具２は、固定部２２の把持部２５の長手方向Ｙの一端側から、円筒部材の第一設置部２１を挿入し、接着材にて把持部２５に第一設置部２１を接着して固定する。
【００１４】
第一固定部２３および第二固定部２４には、照明具３の固定具２への磁力吸着位置を制限するための第一制限面２３Ａおよび第二制限面２４Ａを有している。そして、照明具３は、第一固定部２３の第一制限面２３Ａと、第二固定部２４の第二制限面２４Ａとにて囲まれた領域２０に設置される。第一固定部２３および第二固定部２４には、外側にそれぞれ第一凹部２６および第二凹部２７がそれぞれ形成されている。第一凹部２６および第二凹部２７には、第一磁石部２８および第二磁石部２９がそれぞれ保持されている。
【００１５】
第一固定部２３および第二固定部２４には、第一制限面２３Ａおよび第二制限面２４Ａにそれぞれビス止め用の第一ビス穴４１および第二ビス穴４２が長手方向Ｙに延在して形成されている。これら第一ビス穴４１および第二ビス穴４２は、固定具２の長手方向Ｙの両端において、固定具２の両端を覆うための一対の第一エンド板４３をそれぞれビスにて固定するためのものである（図４参照）。但し、図４においては固定具２の一端側の第一エンド板４３のみを示している。また、他の図においてはこの第一エンド板４３の図示は適宜省略する。また、固定具２の各角部は、Ｒ加工が施されている。
【００１６】
次に、照明具３について説明する。照明具３は、光源部３１と、保持部３２と、第二設置部３３とにて形成されている。保持部３２は、光源部３１を保持するものである。光源部３１は、保持部３２の長手方向Ｙに保持されている。保持部３２は、光源部３１の光照射側に、光透過性を有する保護部３４が設置されている。保持部３２は、非磁性体の、例えばアルミ材の押し出し成形にて形成されている。また、保護部３４は、例えば、プラスティック材にて形成されている。
【００１７】
光源部３１は、保持部３２に接する側から、配線板３５、プリント配線導体３６、ＬＥＤ素子３７が積層され形成されている。そして、図６（Ａ）に示すように、ＬＥＤ素子３７は、プリント配線導体３６上の長手方向Ｙに複数個並べられている。第二設置部３３は、保持部３２の光源部３１を遮らない側の長手方向Ｙに設置されている。そして、第二設置部３３は、第一設置部２１の円弧面２１Ａ上の周方向Ｘのいずれかの位置において磁力吸着する設置面３３Ａを有するものである。設置面３３Ａは、第一設置部２１の円弧面２１Ａと面接触する凹状円弧面にて形成されている（特に、図３の設置面３３Ａ参照）。また、第二設置部３３は、ネオジウム磁石等の磁石にて形成されている。
【００１８】
また、第二設置部３３は、図６（Ｂ）に示すように、長手方向Ｙに複数個、間隔を隔てて形成されている。尚、第二設置部３３は、長手方向Ｙの全長に渡って１個の部材にて形成することも可能である。第二設置部３３は、高価な磁石で形成する場合、コスト、および、磁力吸着が可能な範囲にて設定する。保持部３２には、ビス止め用の第三ビス穴４４および第四ビス穴４５が長手方向Ｙに延在して形成されている。これら第三ビス穴４４および第四ビス穴４５は、照明具３の長手方向Ｙの両端において、照明具３の両端を覆うための一対の第二エンド板４６をそれぞれビス５１にて固定するためのものである（図５参照）。但し、図５においては照明具３の一端側の第二エンド板４６のみを示している。また、他の図においてはこの第二エンド板４６は図示を適宜省略する。
【００１９】
照明具３には、図６に示すように、外部から電源を確保するため、プリント配線導体３６からプラス側およびマイナス側の電源線５２Ａ、５２Ｂがそれぞれ引き出されている。尚、この電源線５２Ａ、５２Ｂは他の図においては省略している。そして、これら電源線５２Ａ、５３Ｂは、第二エンド板４６の一方側に、外部から電源を供給するための電源コード５２（図１０〜図１３参照）として形成される。尚、本発明の照明装置１が外部から電源を供給する点については、以下にて説明する。また、照明具３の各角部は、Ｒ加工が施されている。
【００２０】
このように構成された、照明装置１は、固定具２の領域２０内に照明具３を、例えば、図７（Ａ）の状態から矢印Ｓの方向に挿入する。そして、図７（Ｂ）の状態に示すように照明具３を固定具２に吸着する。そして、図７（Ｂ）に示すように、固定具２に照明具３が磁気吸着された状態で、固定具２の第一設置部２１の円弧面２１Ａ上において、照明具３の第二設置部３３の設置面３３Ａを、矢印Ｔに示すように移動させる。
【００２１】
このことにより、図８に示すような、照明具３の照明する角度をθ６〜θ８のように変更することができる。角度θ６〜θ８は、第一設置部２１の中心点Ｑから水平に引き出した引出線Ｚから照明具３の中心線Ｐまでの角度である。図８の場合、角度θ６は３０°、角度θ７は４５°、角度θ８は６０°である。
【００２２】
尚、この角度θ６〜θ８は、照明具３の保持部３２の両壁面が固定具２の第一制限面２３Ａおよび第二制限面２４Ａにて制限されるものである。よって、第一制限面２３Ａおよび第二制限面２４Ａにて制限される角度は上記に限定されるものではなく、適宜変更することが可能である。照明具３は固定具２の第一制限面２３Ａおよび第二制限面２４Ａにて移動が制限されているため、必要以上に移動して固定具２から脱落することが防止される。
【００２３】
本発明の照明装置１は、商品のディスプレイの際の照明として用いられることが考えられる。よって、本発明の照明装置１は、商品のディスプレイの際に、目立たないように什器または構造体（躯体）に設置されるとともに、商品に光を照射する必要がある。ここで、このような用途に使用される、本発明の照明装置１の大きさを、実例をあげて説明する。但し、本発明の照明装置１はこの大きさに限定されるものではない。
【００２４】
図２に示すように、固定具２の長さＬ１は１５ｍｍ、長さＬ２は１５ｍｍである。図４に示すように、固定具２の長手方向Ｙの長さＬ３は、照明を必要とする範囲に応じて必要な長さにて設定されるものであり、例えば、１０００ｍｍ程度が考えられる。第一設置部２１は、直径の長さＬ４が４ｍｍにて形成されている。第一固定部２３および第二固定部２４の第一制限面２３Ａおよび第二制限面２４Ａは、角度θ２、θ３が３０°にて形成されている。また、第一固定部２３および第二固定部２４の最大厚み箇所の長さＬ５、Ｌ６は、５ｍｍにて形成されている。また、固定具２の第一制限面２３Ａおよび第二制限面２４Ａと、把持部２５との角度θ４、θ５は９０°にて形成されている。
【００２５】
次に、照明具３は、図３に示すように、保持部３２の長さＬ７は１３ｍｍ、長さＬ８は８ｍｍである。また、図５に示すように、照明具３の長手方向Ｙの長さＬ９は、照明を必要とする範囲に応じて必要な長さにて設定されるものであり、固定具２の長さＬ３以下にて形成される。また、光源部３１のＬＥＤ素子３７は、図６（Ａ）に示すように、長手方向Ｙに間隔の長さＬ１０が７ｍｍにて形成されている。
【００２６】
このような大きさにて形成された照明装置１は、什器または構造体（躯体）に、例えば図９に示すように設置されている。ディスプレイ枠６１に設置され、ディスプレイ枠６１内に配置された商品などに光６６を照射する。また、棚板６２の下部に設置され、棚板６２の下に光６６を照射し、間接照明または棚板６２の下の棚板６３の上の商品などに光６６を照射する。また、壁面６４の下部に設置され、壁面６４の下に光６６を照射して間接照明として使用する。
【００２７】
また、第一固定部２３および第二固定部２４には、第一磁石部２８および第二磁石部２９がそれぞれ形成されているため、これらを設置する什器または構造体が磁力吸着可能な材質にて形成されていれば、容易に設置、また、容易に取り外しが可能となる。
【００２８】
また、本発明の照明装置１が外部からの電源の確保するための構成について説明する。
図１０に示す、例えば、特開２０１２−２４９７２１号公報に示された物品支持装置と類似する、壁面に設置され外部からの電源を確保している物品支持装置７１から、照明装置１の電源を確保する構成が考えられる。また、図１１に示す、出願人が出願中（国際特許出願ＰＣＴ／ＪＰ２０１４／８２４７７）である、壁面に設置され外部からの電源を確保している支持装置７２から、照明装置１の電源を確保する構成が考えられる。
【００２９】
また、図１２に示す、出願人の販売商品（［ｏｎｌｉｎｅ］、［平成２７年６月１６日検索］、インターネット＜ＵＲＬ；http://www.onebyone.ne.jp/products/details.php?pr_id=379、http://www.onebyone.ne.jp/products/details.php?pr_id=383、http://www.onebyone.ne.jp/products/details.php?pr_id=387＞）である、壁面に設置された外部からの電源を確保している支持装置７３から、照明装置１の電源を確保する構成が考えられる。
【００３０】
また、図１３に示す、出願人が出願中（特願２０１４−１７２１６１）である、天井に設置された外部からの電源を確保している支持装置７４から、照明装置１の電源を確保する構成が考えられる。尚、本発明の電源を確保する構成は、上記に示した構成に限られることはなく、照明装置１の電源を確保する構成であればいずれの構成を用いることも可能である。但し、上記に示したような構成であれば、商品のディスプレイなどに影響を与えることなく、照明装置１の電源を確保することができる。
【００３１】
上記のように構成された実施の形態１の照明装置は、固定具の長手方向に直交する断面が円弧形状の円弧面を有する第一設置部に、照明具の磁力吸着する設置面を有する第二設置部を、第一設置部の円弧面上の周方向のいずれかの位置において着脱することができるため、広い範囲に光を照射可能とし、かつ、光の照射の角度を容易に変更できる。
【００３２】
また、第一設置部の凸状の円弧面に面接触する凹状円弧面にて第２設置部の設置面を形成しているため、磁力吸着が確実となり、照射具の所望箇所への光の照射方向の変更を確実に行うことができる。
【００３３】
また、第一設置部は、磁性体にてなる円筒部材にて形成され、第二設置部は、磁石にて形成されているため、簡易な構造物にて構成することができ、低コスト化を図ることができる。
【００３４】
また、第二設置部は、長手方向に複数個形成されているため、低コストにて本発明の効果を奏することができる。
【００３５】
また、固定具の第一固定部の前記第一制限面と第二固定部の第二制限面とにて囲まれた領域に、照明具を設置しているため、必要以上に照明具が移動することを防止できる。
【００３６】
また、第一固定部と第二固定部とは直交するように屈曲され形成されているため、角部への設置が容易となる。
【００３７】
また、第一固定部および第二固定部の第一磁石部および第二磁石部により、磁力により照明装置の什器または構造体（躯体）への設置が可能となり、簡便に設置が可能となる。  尚、照明装置の第一固定部および第二固定部の什器または構造体（躯体）への設置は、第一磁石部および第二磁石部に限られるものではなく、第一固定部および第二固定部にビス穴を形成し、当該ビス穴を介して什器または構造体（躯体）へビスを用いて固定する場合が考えられる。このように構成すれば、第一磁石部および第二磁石部が不要となり、照明装置を低コストにて形成することができる。また、什器または構造体（躯体）が非磁性体、例えば木材にて形成されている場合であっても、当該照明装置を設置することができる。
【００３８】
また光源部は、ＬＥＤ素子にて形成されているため、省エネルギまた小型化が容易となる。
【００３９】
尚、上記実施の形態１においては、第二設置部３３を磁石にて形成する例を示したが、これに限られることはなく、第一設置部２１および第二設置部３３の少なくともいずれか一方が磁石にて形成され、固定具２と照明具３とが磁力吸着で着脱可能に構成されていればよい。
【００４０】
また、第一設置部２１の円弧面２１Ａを凸状に、第二設置部３３の設置面３３Ａを凹状円弧面にて形成し、第一設置部２１の円弧面２１Ａと第二設置部３３の設置面３３Ａとが面接触する例を示したが、これに限られることはなく、例えば、図１４に示すように、第二設置部３３の設置面３３Ｂが平面状にて形成する場合、また、図１５に示すように、第二設置部３３の設置面３３Ｃを凸状円弧面を有する円筒部材にて形成する場合が考えられる。
【００４１】
これらの場合、第一設置部２１の円弧面２１Ａと、第二設置部３３の設置面３３Ｂまたは設置面３３Ｃの接触箇所が上記に示した実施の形態１の場合より小さくなるものの、磁力の大きな磁石を用いる、または、照明具３自体の自重を小さくすることにより、上記実施の形態１と同様に利用することが可能である。
【００４２】
また、第一設置部２１の円弧面２１Ａを形成するために、第一設置部２１を円筒部材にて形成する例を示したが、これに限られることは無く、例えば、第一設置部２１の円弧面２１Ａを形成するために、半円筒状の部材、また、円筒の一部の円弧のみにてなる部材を利用する場合などが考えられ、上記実施の形態１と同様に用いることが可能である。
【００４３】
また、上記実施の形態１においては、固定具２と照明具３との長手方向Ｙの長さを同様に形成する例を示したが、これに限られることは無く、固定具２の長手方向Ｙの長さが照明具３の長手方向Ｙの長さより長く形成されている場合であれば、固定具２の長手方向Ｙに対して照明具３を移動させて着脱することが可能となる。また、固定具２の長手方向Ｙに２個の照明具３を設置することが可能となる。但し、その場合、各照明具３において、電源を供給するための電源コード５２は長手方向Ｙにおいて異なる側に形成する。
【００４４】
実施の形態２．
図１６はこの発明の実施の形態２の照明装置の固定具の構成を示す側面図および側面断面図である。図１７は図１６に示した照明装置の固定具の構成を示す斜視図である。図１８は図１６に示した照明装置の固定具の設置例を示す図である。図において、上記実施の形態１と同様の部分は同一符号を付して説明を省略する。本実施の形態２においては、上記実施の形態１と異なり、最小限の機能のみを有するように構成されたものである。但し、照明具３の構成は、上記実施の形態１と同様であるため、その説明は適宜省略する。
【００４５】
図において、固定具１０は、長手方向Ｙに直交する断面が円弧形状であって、円弧形状が長手方向Ｙに連続して形成される円弧面１１Ａを有する第一設置部１１と、第一設置部１１を固定する固定部１２とを備えている。固定部１２は板材にて形成され、第五ビス穴４７が形成されている。そして、第一設置部１１は、円柱部材にて形成され、固定部１２にビス５１にて固定されている。第一設置部１１の円弧面１１Ａ上の周方向Ｘのいずれかの位置において、照明具３の第二設置部３３の設置面３３Ａが磁力吸着する。
【００４６】
次に、上記のように構成された実施の形態２の照明装置１の設置構成について説明する。まず、固定具２は、例えば、壁面６５に第五ビス穴４７にビス５１を留めて固定されている。そして、上記実施の形態１と同様に、固定具２の第一設置部１１の円弧面１１Ａ上の周方向Ｘのいずれかの位置において、照明具３の第二設置部３３の設置面３３Ａが磁力吸着する。
【００４７】
上記のように構成された実施の形態２の照明装置によれば、上記実施の形態１と同様の効果を奏するのはもちろんのこと、固定具の構成が簡便となり、低コストにて製造することが可能となる。
【００４８】
尚、本発明は、その発明の範囲内において、各実施の形態を自由に組み合わせたり、各実施の形態を適宜、変形、省略することが可能である。
【符号の説明】
【００４９】
１  照明装置、２  固定具、３  照明具、１０  固定具、１１  第一設置部、
１１Ａ  円弧面、１２  固定部、２０  領域、２１  第一設置部、２１Ａ  円弧面、
２２  固定部、２３  第一固定部、２３Ａ  第一制限面、２４  第二固定部、
２４Ａ  第二制限面、２５  把持部、２６  第一凹部、２７  第二凹部、
２８  第一磁石部、２９  第二磁石部、３１  光源部、３２  保持部、
３３  第二設置部、３３Ａ  設置面、３３Ｂ  設置面、３３Ｃ  設置面、３４  保護部、３５  配線板、３６  プリント配線導体、３７  ＬＥＤ素子、４１  第一ビス穴、
４２  第二ビス穴、４３  第一エンド板、４４  第三ビス穴、４５  第四ビス穴、
４６  第二エンド板、４７  第五ビス穴、５１  ビス、５２Ａ  電源線、
５２Ｂ  電源線、５２  電源コード、６１  ディスプレイ枠、６２  棚板、６３  棚板、６４  壁面、６５  壁面、６６  光、７１  物品支持装置、７２  支持装置、
７３  支持装置、７４  支持装置、Ｌ１  長さ、Ｌ２  長さ、Ｌ３  長さ、Ｌ４  長さ、Ｌ５  長さ、Ｌ６  長さ、Ｌ７    長さ、Ｌ８  長さ、Ｌ９  長さ、Ｌ１０  長さ、
Ｙ  長手方向、Ｘ  周方向、Ｐ  中心線、Ｑ  中心点、Ｓ  矢印、Ｔ  矢印、
Ｚ  引出線、θ１  角度、θ２  角度、θ３  角度、θ４  角度、θ５  角度、
θ６  角度、θ７  角度、θ８  角度。
【図１】
0006444814.tif 000002
【図２】
0006444814.tif 000003
【図３】
0006444814.tif 000004
【図４】
0006444814.tif 000005
【図５】
0006444814.tif 000006
【図６】
0006444814.tif 000007
【図７】
0006444814.tif 000008
【図８】
0006444814.tif 000009
【図９】
0006444814.tif 000010
【図１０】
0006444814.tif 000011
【図１１】
0006444814.tif 000012
【図１２】
0006444814.tif 000013
【図１３】
0006444814.tif 000014
【図１４】
0006444814.tif 000015
【図１５】
0006444814.tif 000016
【図１６】
0006444814.tif 000017
【図１７】
0006444814.tif 000018
【図１８】
0006444814.tif 000019